(57)【要約】【課題】止水性能が高く、コーキングの目視確認を何時でも容易に行える、ビル一般に適用可能な配管用ダクトの建屋への接続構造を提供すること。【解決手段】配管用ダクト（１）を建屋（２）の配管用開口部（２ａ）に接続するための接続具（１０）と、この接続具（１０）の上方を覆う庇状の屋根体（２２）を備えたフード状カバー（２０）とを有する。接続具（１０）は、上方及び側方の外周端部に配管用開口部（２ａ）周辺の壁面（２ｂ）との間にコーキングを施すコーキング対象部（１１ｃ）を有する。フード状カバー（２０）は、屋根体（２２）を支持するための、壁面（２ｂ）に固定される枠体（２１）を有し、枠体（２１）は、壁面（２ｂ）との間にコーキングを施すコーキング対象部（２１ｂ）を有する。屋根体（２２）は、壁面（２ｂ）に取り付けられた状態の枠体（２１）に対し着脱自在に取り付けられている。【選択図】  図３
2017211038.tif 000002
【特許請求の範囲】
【請求項１】
配管用ダクト（１）を建屋（２）の配管用開口部（２ａ）に接続するための接続具（１０）と、この接続具（１０）の上方を覆う庇状の屋根体（２２）を備えたフード状カバー（２０）とを有し、
前記接続具（１０）は、上方及び側方の外周端部に前記配管用開口部（２ａ）周辺の壁面（２ｂ）との間にコーキングを施すコーキング対象部（１１ｃ）を有し、
前記フード状カバー（２０）は、前記屋根体（２２）を支持するための、前記壁面（２ｂ）に固定される枠体（２１）を有し、
前記枠体（２１）は、前記壁面（２ｂ）との間にコーキングを施すコーキング対象部（２１ｂ）を有し、
前記屋根体（２２）は、前記壁面（２ｂ）に取り付けられた状態の枠体（２１）に対し着脱自在に取り付けられる
配管用ダクトの建屋への接続構造。
【請求項２】
前記屋根体（２２）は、少なくとも先端部が前方の下方に向かって傾斜する傾斜部（２２ａ）に形成されている
請求項１記載の配管用ダクトの建屋への接続構造。
【請求項３】
前記屋根体（２２）は、先端が、前記接続具（２０）の上方の外周端部のコーキング対象部（１１ｃ）より下方の位置まで延設されている
請求項２記載の配管用ダクトの建屋への接続構造。
【請求項４】
前記枠体（２１）のコーキング対象部（２１ｂ）は、前記壁面（２ｂ）との間に断面四角形のコーキング施工用の溝部（２４）を形成するように、前記壁面（２ｂ）に密接する板状部の先端を前方に折り曲げた折曲部である
請求項１〜３の何れか１項に記載の配管用ダクトの建屋への接続構造。
【請求項５】
前記屋根体（２２）は、当該屋根体（２２）の後方部が前記溝部（２４）の上面にかからないように、前記枠体（２１）に対し着脱自在に取り付けられている
請求項４記載の配管用ダクトの建屋への接続構造。
【請求項６】
前記枠体（２１）は、前記屋根体（２２）を支持する水平枠部（２１１）を有し、
前記水平枠部（２１１）は、前記折曲部から前方に延出する延設部（２１ｃ）を有し、
前記屋根体（２２）は、前記延設部（２１ｃ）に固定される取付面部（２２ｂ）を有し、この取付面部（２２ｂ）の後方端部が前記溝部（２４）の上面にかからないように、固定手段により前記取付面部（２２ｂ）を前記延設部（２１ｃ）に対し着脱自在に固定することにより、前記枠体（２１）に対し着脱自在に取り付けられている
請求項４記載の配管用ダクトの建屋への接続構造。
【請求項７】
前記屋根体（２２）は、当該屋根体（２２）の後方部が前記枠体（２１）のコーキング（２３）に干渉されずに前記溝部（２４）の上面を覆うように、前記枠体（２１）に対し着脱自在に取り付けられている
請求項４記載の配管用ダクトの建屋への接続構造。
【請求項８】
前記枠体（２１）は、前記接続具（１０）の側方に位置する側枠部（２１２）を有し、
前記側枠部（２１２）は、前記壁面（２ｂ）に対し前方に延設される延設部（２１ｃ）を有し、
この延設部（２１ｃ）により、前記接続具（１０）における側方の外周端部のコーキング対象部（１１ｃ）への直射日光を軽減するように構成されている
請求項１〜７の何れか１項に記載の配管用ダクトの建屋への接続構造。
【発明の詳細な説明】
【技術分野】
【０００１】
本発明は、ビルの屋上等に敷設される空調機用冷媒配管をカバーする配管用ダクトの建屋への接続構造に関する。
【背景技術】
【０００２】
ビル空調設備では、一般にビルの各室内に室内ユニットが設置され、各室内ユニットに冷媒配管で接続される室外ユニットが建物の屋上の所定の区画に多数並べて設置されている。このため室内外ユニット間を接続する冷媒配管は、ビル内を高さ方向に貫通するパイプシャフト内でひとまとめにされ、屋上に設置されている配管引き出し用の建屋（通称ハト小屋）の配管用開口部から屋上に引き出されている。屋上へ引き出された冷媒配管は、冷媒配管自身および冷媒配管を覆う断熱材を保護するために、配管用ダクトでカバーされて敷設されている。
【０００３】
この場合において、配管用ダクトの建屋（ハト小屋）への接続構造は、接続具を用いて配管を配管用開口部に接続しており、建屋および配管用ダクト内への雨水の浸入を防止するために、接続具と配管用開口部周辺の壁面との間にコーキングが施されている。また、このコーキングは、直射日光及び風雨の当りが強いほど劣化するという問題があるため、このような劣化を防止する対策が取られているものがある。例えば、特許文献１に記載のものは、接続具と配管用開口部周辺の壁面との間のコーキングをシール用カバーで覆っている。また、特許文献２に記載のものは、接続具としてフードボックスが用いられているが、このフードボックスの上方に建屋の壁と一体に庇が設けられている。なお、この文献では庇を設ける目的や、構成については具体的な記載がないが、庇の存在によりコーキング材への直射日光や風雨の当りが軽減されると考えられる。
【先行技術文献】
【特許文献】
【０００４】
【特許文献１】特開平８−４９５１号公報
【特許文献２】特開平１０−３１８４４３号公報
【発明の概要】
【発明が解決しようとする課題】
【０００５】
しかしながら、上記従来技術については以下のような問題点がある。特許文献１に記載のものは、シール用カバーをいったん取り付けるとこれを取り外すことができないので、工事完了時あるいは定期メンテナンス時にコーキングを目視確認することができない。また、コーキング部がシール用カバーで覆われる構造であるためコーキング量を一定量とすることが難しく安定した性能の確保が難しい。また、特許文献２に記載のものは、建屋の壁と一体に形成されたものであるため、このような庇を持たない現地に適用することができず、汎用性に欠ける。また、コーキングの劣化防止用の庇として大きさや配置が適切か不明である。
【０００６】
本願発明は、かかる従来技術における問題点に鑑みなされたものであり、止水性能が高く、コーキングの目視確認を何時でも容易に行える、ビル一般に適用可能な配管用ダクトの建屋への接続構造を提供することを目的とする。
【課題を解決するための手段】
【０００７】
上記課題を解決する配管用ダクトの建屋への接続構造は、配管用ダクトを建屋の配管用開口部に接続するための接続具と、この接続具の上方を覆う庇状の屋根体を備えたフード状カバーとを有し、前記接続具は、上方及び側方の外周端部に前記配管用開口部周辺の壁面との間にコーキングを施すコーキング対象部を有し、前記フード状カバーは、前記屋根体を支持するための、前記壁面に固定される枠体を有し、前記枠体は、前記壁面との間にコーキングを施すコーキング対象部を有し、前記屋根体は、前記壁面に取り付けられた状態の枠体に対し着脱自在に取り付けられることを特徴とする。
【０００８】
このような構成の配管用ダクトの建屋への接続構造によれば、フード状カバーの屋根体により接続具と壁面との間のコーキングに対する上方からの直射日光や風雨の当りを軽減することができる。これにより、止水性能を高く維持することができるとともに、接続具のコーキングの劣化を抑制して止水性能を高く維持することができる。また、フード状カバーは、接続具の外周側に設けられるものであって、庇の無い建屋に容易に据え付けることができるので、どのビルにも適用できる汎用性がある。また、フード状カバーの屋根体は、フード状カバーの枠体を壁面に取り付けた状態のまま取り外しできるので、工事完了時及び定期メンテナンス時に各コーキングの状態を容易に目視確認することができる。建屋の壁面における止水は、接続具と壁面との間のコーキングと、枠体と壁面との間のコーキングとにより二重に形成されるので、高い表面度を得ることが難しい壁面における止水性能を高くすることができる。また、屋根体を取り外さずにそのままの状態で、枠体と壁面との間に施されるコーキングの劣化状態を確認することにより、屋根体の下方に位置する接続具と壁面との間のコーキングの劣化状態を推測することができるという利便性もある。
【０００９】
また、前記屋根体は、少なくとも先端部が前方の下方に向かって傾斜する傾斜部に形成されていることが好ましい。
このような構成によれば、屋根体に雨水が溜まり難くなるので、屋根体を金属製とした場合には腐食の進行を遅らせることができる。
【００１０】
また、前記屋根体は、先端が、前記接続具における上方の外周端部のコーキング対象部より下方となる位置まで延設されていることが好ましい。
このような構成によれば、接続具における上方の外周端部のコーキング対象部に対する直射日光を遮ることができる。また、このコーキング対象部に対する風雨の当りを大きく軽減することができる。
【００１１】
また、前記枠体のコーキング対象部は、前記壁面との間に断面四角形のコーキング施工用の溝部を形成するように、前記壁面に密接する板状部の先端が前方に折り曲げられた折曲部であることが好ましい。
【００１２】
このような構成によれば、枠体のコーキング対象部に四角コーキングを用いることができるので、止水性能が良好となる。
また、前記屋根体は、当該屋根体の後方部が前記溝部の上面にかからないように、前記枠体に対し着脱自在に取り付けられていることが好ましい。
【００１３】
このような構成によれば、屋根体を取り付けた状態において、屋根体を取り外すことなく枠体上部のコーキング対象部に施されるコーキングを目視確認することができる。また、コーキングにより屋根体の取付が阻害されることがない。
【００１４】
また、前記枠体は、前記屋根体を支持する水平枠部を有し、前記水平枠部は、前記折曲部から前方に延出する延設部を有し、前記屋根体は、前記延設部に固定される取付面部を有し、この取付面部の後方端部が前記溝部の上面にかからないように固定手段により前記延設部に対し前記取付面部を着脱自在に固定することにより、前記枠体に対し着脱自在に取り付けられることが好ましい。
【００１５】
このような構成によれば、屋根体を取り外さずに枠体上部のコーキング対象部に施されるコーキングを目視確認できるとともに、屋根体を着脱自在に取り付けることのできる構成を、簡便な構造により実現することができる。
【００１６】
また、前記屋根体は、当該屋根体の後方部が前記枠体のコーキングに干渉されずに前記溝部の上面を覆うように、前記枠体に対し着脱自在に取り付けられていることが好ましい。
【００１７】
このように構成すれば、溝部に施されるコーキングの乾燥を待たずに屋根体を取り付けることができる。また、このコーキングに対する直射日光や風雨の当りを防止することができる。したがって、このコーキングの寿命を伸ばすことができる。なお、このコーキングの状態を確認するときは屋根体を取り外すことにより簡単に目視確認することができる。
【００１８】
前記枠体は、前記接続具の側方に位置する側枠部を有し、前記側枠部は、前記壁面に対し前方に延設される延設部を有し、この延設部により、前記接続具における側方の外周端部のコーキング対象部への直射日光を軽減するように構成されていることが好ましい。
【００１９】
このように構成すれば、枠体が側枠部を有するので、側枠部に施されるコーキングにより、接続具における側方の外周端部のコーキングへの風雨の流れを抑制することができる。また、側枠部の延設部により接続具における側方の外周端部のコーキングへの直射日光を軽減することができるので、接続具における側方の外周端部のコーキングの劣化を抑制することができる。
【発明の効果】
【００２０】
本配管用ダクトの建屋への接続構造によれば、止水性能を高く維持することができ、建屋への汎用性があり、フード状カバーの据え付け工事も容易である。また、フード状カバー及び接続具のコーキングの状態を何時でも容易に目視で確認することができる。
【図面の簡単な説明】
【００２１】
【図１】本実施の形態に係る配管用ダクトの建屋への接続構造の分解斜視図。
【図２】同接続構造の外観斜視図。
【図３】図２におけるＡ−Ａ断面図。
【図４】図２におけるＢ−Ｂ断面図。
【図５】前方から見たフード状カバーの斜視図。
【図６】前方から見たフード状カバーの分解斜視図。
【図７】図５におけるＣ−Ｃ断面図。
【図８】変形例に係るフード状カバーの屋根体周辺の断面図。
【図９】他の変形例に係るフード状カバーの屋根体周辺の断面図。
【図１０】更なる他の変形例に係るフード状カバーの屋根体周辺の断面図。
【発明を実施するための形態】
【００２２】
以下、本発明の実施の形態に係る配管用ダクトの建屋への接続構造について説明する。なお、本発明は、以下に記載する例示に限定されるものではなく、特許請求の範囲によって示され、特許請求の範囲と均等の意味および範囲内での全ての変更が含まれることが意図される。
【００２３】
本実施の形態に係る配管用ダクトの建屋への接続構造は、図１〜図３に示すように、配管用ダクト１を、建屋２（配管引き出し用の建物）の配管用開口部２ａに接続するための構造である。より具体的には、従来のものと同様に接続具１０を使って配管用ダクト１を接続し、その外周側にフード状カバー２０を取り付けている。以下、これら構成部材について詳しく説明するが、本明細書において、左右、上下及び前後方向をいうときは、配管用開口部２ａを壁面２ｂの外側から見た方向を言うものとし、図１に矢印で示す左右方向、上下方向、及び前後方向をいうものとする。
【００２４】
配管用ダクト１は、図２に示すように、側板１ａの上下部に段付き部が形成されるとともに天板１ｂの側方部も段付きに形成され、側板１ａ及び天板１ｂの強度を向上するように配慮された形状に形成されている。本実施の形態における配管用ダクト１は、底板を有さないものであるが、底板を有するものとすることもできる。なお、図１及び図２は、図面簡略化のため、配管用ダクト１の接続具１０から遠い部分を省略し、配管用ダクト１の接続具１０に近い部分のみを図示している。配管用ダクト１は、実際的には図示された配管用ダクト１の先端側において、立面エルボを使用して高さ調整を行った上で直線状のダクトが所定位置まで延びるように接続されている。
【００２５】
接続具１０は、図１に示すように、配管用開口部２ａの周囲の壁面２ｂに固定される止水プレート１１、止水プレート１１の前面側に固定されるウォールプレート１２、止水プレート１１と壁面２ｂとの間に挟まれるパッキン１３等により構成される。
【００２６】
止水プレーと１１は、図１及び図３から分かるように、配管用ダクト１の内部に挿入される接合筒部１１ａと、その周囲に拡がる取付板部１１ｂとを備えている。接合筒部１１ａは、図２及び図３から分かるように、上面及び側面は配管用ダクト１内に嵌合状態に挿入される形状であり、下面は配管用ダクト１の下方段状部の上面に接する形状に形成されている。
【００２７】
止水プレート１１は、具体的には図示しないが、配管用開口部２ａから引き出される冷媒配管群に対し、上下から挟み込むようにして壁面２ｂに対し仮止めされ、その後ウォールプレート１２と共締めで壁面２ｂに取り付けられるように構成されている。
【００２８】
この止水プレート１１は、図３及び図４に示すように、上方及び側方の外周端部にコーキング対象部１１ｃを形成している。コーキング対象部１１ｃは、平板状の取付板部１１ｂにおける上方及び側方の外周端部において、板の端部を前方に折り曲げさらにその先を壁面２ｂと平行となるように曲げたＬ字状の折曲部をいう。この折曲部を形成することにより、壁面２ｂとの間に四角コーキングを施すことができる溝部１１ｄが形成され、この溝部１１ｄにコーキング１１ｅが施される。
【００２９】
止水プレート１１は、ウォールプレート１２を取り付ける前に、パッキン１３を壁面２ｂとの間に介在させた状態で仮止めされる。そして、図２及び図３から分かるように、仮止めされた状態の止水プレート１１に対し、配管用ダクト１の端部が接合筒部１１ａの外側に被せられ、さらにこの配管用ダクト１の外側にウォールプレート１２が被さるように取り付けられている。
【００３０】
ウォールプレート１２は、図２及び図３に示すように、配管用ダクト１の端部外周を覆う外装筒部１２ａと、配管用ダクト１の端部と止水プレート１１との接合部の体裁を整えるフランジ部１２ｂとを備えている。フランジ部１２ｂの外周端は、後方に降り曲がる折曲片が形成されている。外装筒部１２ａの断面形状は、図２から分かるように、配管用ダクト１の断面形状と同様の形状であって、配管用ダクト１より一回り大きくした形状に形成されている。そして、図３に示すように、外装端部の先端部はやや内側に曲げられている。なお、このウォールプレート１２は、具体的には図示していないが、配管用ダクト１に対し上下から挟み込んで取り付けできるように上下に二分割されている。
【００３１】
図３に示すように、配管用ダクト１は、このようにして接合筒部１１ａと外装筒部１２ａとの間に挟持される。また、外装筒部１２ａの内側には、配管用ダクト１の把持力を大きくするために、断面四角の帯状のクッション材１２ｃが取り付けられている。そして、止水プレート１１及びウォールプレート１２は、止水プレート１１と壁面２ｂとの間にゴム製のパッキン１３を挟み込んだ状態で、ボルト１４により共締めされて壁面２ｂに取り付けられる。
【００３２】
このようにしてウォールプレート１２が取り付けられたときに、外装筒部１２ａの先端部において外装筒部１２ａと配管用ダクト１との間、かつ、クッション材１２ｃの前方部分にコーキング１２ｄを施すためのスペースが形成される。また、フランジ部１２ｂの外周端と止水プレート１１のコーキング対象部１１ｃを構成する折曲部との間にコーキング１２ｅを施すためのスペースが形成される。これらスペースに施されるコーキング１２ｄ，１２ｅは、四角コーキングであって、後述するフード状カバー２０が取り付けられる前に施工される。
【００３３】
次に、フード状カバー２０について説明する。
フード状カバー２０は、主として止水プレート１１の上方外周端部と壁面２ｂとの間に施されるコーキング１１ｅをカバーするために取り付けられる。止水プレート１１の上方外周端部のコーキング１１ｅを他のコーキングに比して手厚く保護する理由は、他のコーキングに比較し厳しい環境にさらされるからである。ここで他のコーキングとは、止水プレート１１の側方外周端部のコーキング１１ｅ（図４参照）、ウォールプレート１２と配管用ダクト１との間のコーキング１２ｄ、及びウォールプレート１２と止水プレート１１との間のコーキング１２ｅをいう。なお、このフード状カバー２０を取り付けることにより、他のコーキングに対する直射日光及び風雨の当りを軽減し、他のコーキングの劣化を軽減することができる。
【００３４】
フード状カバー２０は、止水プレート１１の上方外周端部のコーキング１１ｅに対する直射日光及び風雨の当りを抑制するためのものであって、図５及び図６に示すように壁面２ｂに固定される枠体２１と、壁面２ｂに固定された状態の枠体２１に対し着脱自在に取り付けられる屋根体２２とを有する。
【００３５】
枠体２１は、図６に示すように、接続具１０の上方に位置する水平方向の水平枠部２１１と、接続具１０の左右の側方に位置する一対の鉛直方向の側枠部２１２とが一体に形成されたものである。なお、本実施の形態において、水平枠部２１１と側枠部２１２との区分けが必要な場合は、左右のコーナ部における水平線に対する４５度の線を境界として考えるものとする。
【００３６】
水平枠部２１１及び側枠部２１２は、図３及び図４に示す断面を備えている。すなわち、水平枠部２１１及び側枠部２１２は、壁面２ｂに密接して壁面２ｂへの取付面を成す板状部である平面取付部２１ａと、平面取付部２１ａの外周側の先端部に壁面２ｂとの間にコーキング２３（図３参照）を施す溝部２４を形成するコーキング対象部２１ｂとを有する。すなわち、コーキング対象部２１ｂは、平面取付部２１ａの端部を壁面２ｂから離れるようにいったん壁面２ｂと垂直に折り曲げ、さらに、その先端部を壁面２ｂと平行に折り曲げたＬ字型の折曲部をいう。このようにして溝部２４の断面が四角形に形成されるので、コーキング２３は四角コーキングとなる。
【００３７】
また、水平枠部２１１及び側枠部２１２は、コーキング対象部２１ｂを構成するＬ字型の折曲部の先端をさらに前方に延ばした延設部２１ｃを備えている。この延設部２１ｃは、この実施の形態においては、壁面２ｂから垂直方向としているが、厳密に垂直が要求されるものではない。延設部２１ｃは、後述する機能を充足する範囲において壁面２ｂに対して適宜の角度を付けたものでもよい。
【００３８】
水平枠部２１１の延設部２１ｃは、図３及び図４に示すように、屋根体２２の取付面として使用される。また、側枠部２１２の延設部２１ｃにおける上方部は、図５及び図６に示すように屋根体２２の取付面を成し、側枠部２１２の延設部２１ｃにおける屋根体２２の下方の部分は、図４に示すような位置関係になり、止水プレート１１のコーキング１１ｅに対する直射日光や風雨の当りを軽減する部材として機能する。この機能のために、図４に示すように、フード状カバー２０及び止水プレート１１が壁面２ｂに取り付けられた状態において、延設部２１ｃの壁面２ｂからの高さＨは、延設部２１ｃに対向する溝部１１ｄの幅Ｌより少なくとも大きく形成される。高さＨは、溝部１１ｄへの直射日光の照射及び風雨の降り込みを防ぐためには高いほど好ましいが、溝部１１ｄに施されるコーキング１１ｅの目視確認の都合、取扱性などを加味して、この実施の形態においては溝部１１ｄの幅Ｌの２倍強に設定されている。
【００３９】
図６に示すように、枠体２１における平面取付部２１ａには、ボルト２５により枠体２１を壁面２ｂに固定するためのボルト孔２５ａが、水平枠部２１１及び側枠部２１２に合計９個形成されている。また、枠体２１の延設部２１ｃにおける水平枠部２１１には、ボルト２６により屋根体２２の取付面部２２ｂを枠体２１に対しねじ止めするためのねじ孔２６ａが５個形成されている。同様に、枠体２１の延設部２１ｃにおける左右の側枠部２１２の上方部には、ボルト２６により屋根体２２の側板部２２ｃを枠体２１に対しねじ止めするためのねじ孔２６ａがそれぞれ２個形成されている。
【００４０】
また、図７に示すように、屋根体２２は、前方に向かって斜め下方に傾斜する傾斜部２２ａと、屋根体２２を枠体２１に取り付けるための水平面である取付面部２２ｂと、側部に取り付けられる略三角形上の側板部２２ｃを有する。このような構成により、屋根体２２は、壁面２ｂに取り付けられた状態の枠体２１に対し、ボルト２６により着脱自在に取り付けられる。
【００４１】
屋根体２２は、図３に示すように、本フード状カバー２０が取り付けられた状態において、その先端部が止水プレート１１のコーキング対象部１１ｃ、すなわち、接続具１０の上方の外周端部のコーキング対象部１１ｃより下方となる位置まで延びるように、傾斜部２２ａの大きさが決定されている。また、この実施の形態において、屋根体２２は、図３に示すように、その先端部と外装筒部１２ａの先端とを結んだ線の水平線に対する角度αが４５度以下となるように設定されている。これにより、外装筒部１２ａ先端部の上面に位置するコーキング１２ｄの保護を向上させるようにしている。
【００４２】
屋根体２２の側部には、この側部を塞ぐ略三角形上の側板部２２ｃを有する。
図６に示すように、ボルト２６を挿通するためのボルト孔２６ｂは、取付面部２２ｂに５個、左右の側板部２２ｃに各２個設けられている。傾斜部２２ａは、枠体２１の幅方向一杯に拡がる。
【００４３】
上記のように構成されるフード状カバー２０は、図４に示すように、枠体２１の内周側と止水プレート１１における取付板部１１ｂの外周側との間に一定の間隔Ｗのスペースを置いて壁面２ｂに取り付けられる。この一定の間隔Ｗのスペースを形成する理由は、止水プレート１１外周の溝部１１ｄにコーキング１１ｅを施す際に、コーキング材料が溝部１１ｄの外側に付着することを許容するものであって、この部分のコーキング作業の緻密性を軽減し、その作業性を向上させることを目的とする。このスペースの間隔Ｗは、その目的を考慮して定めれば良く、許容レベルによりいろいろな寸法を取り得るが、本実施の形態においては、溝部１１ｄの幅Ｌ（すなわち、壁面２ｂからの高さ）の１／２より大きく、同一寸法よりは小さく設定されている。
【００４４】
（作用）
まず、建屋２におけるフード状カバー２０の取付について説明する。フード状カバー２０は、配管用開口部２ａに対し接続具１０により配管用ダクト１が接続された後に接続具１０の外側に取り付けられる。フード状カバー２０の取付に際しては、先ず枠体２１が壁面２ｂに取り付けられる。枠体２１は、水平枠部２１１の両側に側枠部２１２を備えた下方を開放した形状であるので、接続された配管用ダクト１の上方から壁面２ｂに押し付けることができる。そして、押し付けられた枠体２１に対し、ボルト２５をボルト孔２５ａから挿入して壁面２ｂにねじ込むことにより、枠体２１が接続具１０の外側に取り付けられる。このように枠体２１が取り付けられると、図３及び図４に示すように、コーキング対象部２１ｂと壁面２ｂとの間に溝部２４が形成される。そして、溝部２４にコーキング２３を施す。なお、このコーキング作業中において、コーキング材が溝部２４の外部に付着することがあるが、このような外部への食みだしを許容するスペースとして、枠体２１の内周側と接続具１０の外周との間に間隔Ｗのスペースが用意されている。この余裕が与えられることにより、コーキング作業の効率化が図られている。このようにして枠体２１の取付が完了される。
【００４５】
枠体２１の取付が完了すると、次に屋根体２２が枠体２１に対し取り付けられる。屋根体２２の取付は、枠体２１の延設部２１ｃに対し行われる。取付面部２２ｂ及び側板部２２ｃに形成されているボルト孔２６ｂと延設部２１ｃに形成されているねじ孔２６ａとを、芯合わせしてボルト２６を螺合すると、取付面部２２ｂの後端を溝部２４側にはみ出さないように取り付けることができる。これにより、枠体２１の取付は、溝部２４に施されるコーキング２３により阻害されるようなことがない。
【００４６】
上記のように屋根体２２が接続具１０の外周側に取り付けられた本配管用ダクト１の建屋への接続構造によれば、屋根体２２の傾斜部２２ａが上方から接続具１０への直射日光及び風雨の当りを防止する。また、屋根体２２の側板部２２ｃが側方から接続具１０への直射日光及び風雨の当りを防止する。さらに、側枠部２１２の延設部２１ｃが側方からの直射日光及び風雨の当りを防止する。延設部２１ｃは、特に壁面２ｂに沿って強く流れる傾向がある風雨に対し効果を発揮することができる。また、枠体２１の外周のコーキング２３が壁面２ｂに沿って下方又は水平方向に流れる雨水を遮断する。
【００４７】
上記において、屋根体２２は、傾斜部２２ａの先端部が接続具１０における上方の外周端部のコーキング対象部１１ｃより下方となるように形成されているので、接続具１０における上方の外周端部のコーキング対象部１１ｃに対する直射日光及び風雨の当りを大きく軽減することができる。なお、屋根体２２に降り注ぐ雨水や、壁面２ｂを伝って屋根体２２の上面に流れ込む雨水は、屋根体２２の庇部分が傾斜部２２ａとして形成されているので、円滑に下方に落下し、屋根体２２の上面に溜まることがない。
【００４８】
フード状カバー２０の枠体２１の外周部のコーキングを施すための溝部２４が屋根体２２の後方に形成されているので、工事完了時及び定期メンテナンス時におけるコーキング２３の目視確認は、屋根体２２を取り付けたまま行うことができる。また、接続具１０の外周部と壁面２ｂとの間、ウォールプレート１２と配管用ダクト１との間、及びウォールプレート１２と止水プレート１１との間それぞれのコーキング１１ｅ、１２ｄ及び１２ｅの目視確認は、屋根体２２が壁面２ｂに取り付けられた枠体２１に対し着脱自在に取り付けられているので、屋根体２２のみを取り外して行うことができる。なお、屋根体２２の取り外しは、ボルト２６を取り外せば容易に行える。
【００４９】
（本実施の形態の効果）
本実施の形態に係る配管用ダクトの建屋への接続構造は、以上のように構成されているので、次のような効果を奏することができる。
【００５０】
（１）フード状カバー２０の屋根体２２により接続具１０と壁面２ｂとの間のコーキング１１ｅに対する上方からの直射日光や風雨の当りを軽減することができる。これにより、止水性能を高く維持することができるとともに、接続具１０のコーキング１１ｅの劣化を抑制して止水性能を高く維持することができる。
【００５１】
（２）また、フード状カバー２０は、接続具１０の外周側に設けられるものであって、庇の無い建屋２に容易に据え付けることができるので、どのビルにも適用でき、汎用性がある。
【００５２】
（３）フード状カバー２０の屋根体２２は、フード状カバー２０の枠体２１を壁面２ｂに取り付けた状態のまま取り外しできるので、工事完了時及び定期メンテナンス時に各コーキング１１ｅ，１２ｄ，１２ｅの状態を容易に目視確認することができる。
【００５３】
（４）建屋２の壁面２ｂにおける止水は、接続具１０と壁面２ｂとの間のコーキング１１ｅと、枠体２１と壁面２ｂとの間のコーキング２３とにより二重に形成されるので、高い表面度を得ることが難しい壁面２ｂにおける止水性能も高くすることができる。
【００５４】
（５）屋根体２２を取り外さずにそのままの状態で、枠体２１と壁面２ｂとの間に施されるコーキング２３の劣化状態を確認することにより、屋根体２２の下方に位置する接続具１０と壁面２ｂとの間のコーキング１１ｅの劣化状態を推測することができるという利便性もある。
【００５５】
（６）屋根体２２は、先端部が前方の下方に向かって傾斜する傾斜部２２ａを備えているので、屋根体２２に雨水が溜まり難くなり、屋根体２２を金属製とした場合には腐食の進行を遅らせることができる。
【００５６】
（７）この場合において、屋根体２２は、先端が、接続具１０における上方の外周端部のコーキング対象部１１ｃより下方となる位置まで延設されているので、接続具１０における上方の外周端部のコーキング対象部１１ｃに対する直射日光を遮ることができる。また、コーキング対象部１１ｃに対する風雨の当りを大きく軽減することができる。
【００５７】
（８）枠体２１のコーキング対象部２１ｂは、壁面２ｂとの間に断面四角形のコーキング施工用の溝部２４を形成するように、壁面２ｂに密接する板状部である平面取付部２１ａの先端が前方に折り曲げられたＬ字型の折曲部であるので、枠体２１のコーキング対象部２１ｂに施されるコーキング２３として四角コーキングを用いることができる。したがって、止水性能が良好となる。
【００５８】
（９）屋根体２２は、当該屋根体２２の後方部が溝部２４の上面にかからないように、枠体２１に対し着脱自在に取り付けられているので、屋根体２２を取り付けた状態において、屋根体２２を取り外すことなく枠体２１上部のコーキング対象部２１ｂに施されるコーキング２３を目視確認することができる。また、このコーキング２３により屋根体２２の取付が阻害されることがない。
【００５９】
（１０）枠体２１は、屋根体２２を支持する水平枠部２１１を有し、水平枠部２１１は、コーキング対象部２１ｂを成す折曲部から前方に延出する延設部２１ｃを有し、屋根体２２は、延設部２１ｃに固定される取付面部２２ｂを有する。そして、この取付面部２２ｂを着脱自在に固定することにより、枠体２１に対し着脱自在に取り付けられている。このため、枠体２１上部のコーキング２３の目視確認及び屋根体２２の着脱自在な取付けを、簡便な構造により実現することができる。
【００６０】
（１１）枠体２１は、接続具１０の側方に位置する側枠部２１２を有するので、側枠部２１２に施されるコーキング２３により接続具１０における側方の外周端部のコーキング１１ｅへの風雨の流れを抑制することができる。
【００６１】
（１２）側枠部２１２は、壁面２ｂに対し前方に延設される延設部２１ｃを有し、この延設部２１ｃにより、接続具１０における側方の外周端部のコーキング対象部１１ｃへの直射日光を軽減することができるので、接続具１０における側方の外周端部のコーキング１１ｅの劣化を抑制することができる。
【００６２】
［変形例］
上記の各実施の形態に関する説明は、本発明に従う配管用ダクトにおける末端開口部の閉塞構造が取り得る形態の例示であり、その形態を制限することを意図していない。本発明に従う配管用ダクトにおける末端開口部の閉塞構造は、例えば以下に示される上記の実施の形態の変形例、及び、相互に矛盾しない少なくとも二つの変形例が組み合わされた形態を取り得る。
【００６３】
・前記実施の形態においては、屋根体２２は、取付面部２２ｂ前方の全体が傾斜部２２ａとして形成されていたが、図８に示すように、取付面部２２ｂを前方に延長して平面部２２ｄが形成され、この平面部２２ｄの前方、すなわち屋根体２２の先端側において部分的に傾斜部２２ａとなっているものとしてもよい。
【００６４】
・前記実施の形態においては、屋根体２２の取付面部２２ｂの後方部が溝部２４の上面にかからないように形成されていたが、図９に示すように、これとは反対的に屋根体２２の取付面部２２ｂの後方部により溝部２４の上面をカバーするようにしてもよい。なお、図９に示す変形例においては、取付面部２２ｂの後方部がコーキング２３の上面と干渉することを避けるために、溝部２４の上方部分を１段上に位置させるために段部２２ｅが形成されている。
【００６５】
・図１０に示す変形例は、図９の変形例と同様に屋根体２２の取付面部２２ｂの後方部により溝部２４の上方をカバーするものであるが、取付面部２２ｂの後方部がコーキング２３との干渉を回避する手段を異ならせたものである。すなわち、この変形例においては、枠体２１の取付面を成す延設部２１ｃの上方であって、取付面部２２ｂのボルト孔２６ｂの下方に間座２２ｆが取り付けられている。間座２２ｆは、各ボルト孔２６ｂ毎に設けてもよいが、取付面を成す延設部２１ｃの長手方向に略全体にわたるものとしてもよい。この間座２２ｆを設けることにより、溝部２４の上面に延ばされた取付面部２２ｂを上方に浮かせコーキング２３との干渉が回避される。
【００６６】
・前記実施の形態においては、接続具１０及びフード状カバー２０は、板金製であるものについて記載しているが、素材については特にこだわるものではなく、樹脂成形品を用いてもよい。
【００６７】
・前記実施の形態においては、屋根体２２は枠体２１に対し９本のボルト２６により着脱自在に固定されていたが、このボルト２６の数は少なくしてもよい。また、屋根体２２の側板部２２ｃ及び取付面部２２ｂの双方において枠体２１の延設部２１ｃに固定していたが、何れか一方においてのみ取り付けるようにしてもよい。また、固定手段としてボルト２６のみを使用していたが、一部を引っ掛け、嵌合等の係合手段とし、その他をボルト又はねじにより固定するなどの、作業性の良い適宜の固定手段に変更してもよい。
【００６８】
・前記実施の形態においては、具体的に記載されている接続具１０は一例を示したに過ぎず他の構造のものにしてもよいことは勿論である。なお、何れの構造の接続具であっても、建屋２の壁面２ｂ又は壁体との間にコーキングが施されるが、前記実施の形態に記載のフード状カバー２０を用いることにより接続具上部のコーキングを保護することができる。
【符号の説明】
【００６９】
１  配管用ダクト
２  建屋
２ａ  配管用開口部
２ｂ  壁面
１０  接続具
１１ｃ  コーキング対象部
２０  フード状カバー
２１  枠体
２１ｂ  コーキング対象部
２１ｃ  延設部
２２  屋根体
２２ａ  傾斜部
２２ｂ  取付面部
２３  コーキング
２４  溝部
２１１  水平枠部
２１２  側枠部
【図１】
2017211038.tif 000003
【図２】
2017211038.tif 000004
【図３】
2017211038.tif 000005
【図４】
2017211038.tif 000006
【図５】
2017211038.tif 000007
【図６】
2017211038.tif 000008
【図７】
2017211038.tif 000009
【図８】
2017211038.tif 000010
【図９】
2017211038.tif 000011
【図１０】
2017211038.tif 000012